(57)【要約】 【課題】水素ガスを主成分とし気体及びまたは液体の水分を含む流動性を有する物質を搬送させるために必要な流路材料と簡易な施工方法が求められている。【解決手段】当該水分の存在下において化学的、物理的変化による性能劣化に耐え、且つガスバリア性を有し接合が容易な低温熱融着ができる材料を積層して構成させ、当該流路内の液状水分が流路を遮断して当該物質の流動を妨げることを抑制することにより最小の流路サイズで電気融着で施工でき流路が実現できた。【選択図】図1
2005214387.tif 000002
【特許請求の範囲】
【請求項１】
水素ガスを主成分とし気体及びまたは液体の水分を含む流動性を有する物質を搬送させるための、管状または当該物質の流動方向に直行する流路壁部の断面形状が楕円または多角形状に閉じられた流路であって、当該流路の外壁部を耐候性と耐水性と機械強度および熱可塑性を有する樹脂で、内壁部を耐水性と耐熱性と機械強度を有する樹脂で、中間壁部を水素ガスバリア性を有する樹脂または金属で構成させ、当該各壁部を接着材または接着剤を介して積層状に構成させ、当該流路の内壁表面部に当該物質の流動方向に沿って液状の水分を平坦化させるための措置を施したことを特徴とする流路。
【請求項２】
請求項1に記載の流路であって、外壁部をポリオレフィン系樹脂で、中間壁部をエチレン−ビニールアルコール共重合体で構成し、当該物質の流動方向に沿って当該流路の内壁表面部に溝を１本または複数本構成配置させることによる当該物質の流動方向に沿って液状の水分を平坦化させるための措置を施したことを特徴とする、請求項1記載の流路。
【請求項３】
請求項1に記載の流路であって、外壁部をポリオレフィン系樹脂で、中間壁部を金属で構成し、当該物質の流動方向に沿って当該流路の内壁表面部に溝を１本または複数本構成配置させることによる当該物質の流動方向に沿って液状の水分を平坦化させるための措置を施したことを特徴とする、請求項1記載の流路。
【請求項４】
請求項1に記載の流路であって、外壁部をポリオレフィン系樹脂で、中間壁部をエチレン−ビニールアルコール共重合体で構成し、内壁部内側表面に接触するようにネット形状の内筒を挿入配置させることによる当該物質の流動方向に沿って液状の水分を平坦化させるための措置を施したことを特徴とする、請求項1記載の流路。
【請求項５】
請求項1に記載の流路であって、外壁部をポリオレフィン系樹脂で、中間壁部を金属で構成し、内壁部内側表面に接触するようにネット形状の内筒を挿入配置させることによる当該物質の流動方向に沿って液状の水分を平坦化させるための措置を施したことを特徴とする、請求項1記載の流路。
【発明の詳細な説明】
【技術分野】
【０００１】
炭化水素を水蒸気改質して得られる水素ガスを主成分とし水分を含む流体の搬送に供する流路に関するものである。
【背景技術】
【０００２】
水素化社会に向けて、水素から燃料電池を介して電気を発生し合わせて排熱を回収し利用する技術が開発されつつある。その一環として炭化水素を水蒸気改質して得られる水素ガスを主成分とし合わせて水分を含む流体の搬送に供する流路の開発が求められている。
【０００３】
水素ガスだけの搬送にかかる流路として金属製のものが利用されているが、重い上に一般的には腐食性がありまた接合方法も複雑である。また都市ガスの導管として作業性のよい電気融着接合ができる樹脂管が利用されているが、通常使用されている樹脂管では水素分子が部分的に透過してしまう問題がある。
【０００４】
また、水素を化石燃料から水蒸気改質などの方法で製造する場合には発生した高温の改質ガスは、主成分である水素以外に多量の水分を含むものであり、金属を腐食させる成分などを含むことがある。
さらに、当該水素ガスを主成分とし水分を含む流体が管路など閉じられた流路内を流動するとき、途中で凝縮した水分が流路断面全域を閉鎖させて当該流体の搬送を困難にする問題がある。これを回避するために流路口径を大きくする必要がある。
【０００５】
前期状況下で、当該流体を搬送させるため配管の構成材料及び構成方法が求められている。
【特許文献１】特開２００２−１６８３７７号公報
【発明の開示】
【発明が解決しようとする課題】
【０００６】
水素ガスを主成分とし気体及びまたは液体の水分を含む流動性を有する物質を搬送させるために必要な、当該水分の存在下において化学的、物理的変化による性能劣化に耐え、且つガスバリア性を有し、流路内の液状水分が流路を遮断して当該物質の流動を妨げることを抑制し最小の流路サイズで施工でき、接合が容易な低温熱融着ができる流路材料の構成方法
【課題を解決するための手段】
【０００７】
本発明は、水素ガスを主成分とし気体及びまたは液体の水分を含む流動性を有する物質を搬送させるための、管状または当該物質の流動方向に直行する流路壁部の断面形状が楕円または多角形状に閉じられた流路を、当該流路の外壁部を耐候性と耐水性と機械強度および熱可塑性を有する樹脂で、内壁部を耐水性と耐熱性と機械強度を有する樹脂で、中間壁部を水素ガスを透過させ難い樹脂または金属で構成させ、当該各壁部を接着材または接着剤を介して積層状に構成させ、当該流路の内壁表面部に当該物質の流動方向に沿って液状の水分を平坦化させるための措置を施す。
【発明の効果】
【０００８】
本発明は、以上のように構成されているので、以下に記載されるような効果を奏する。
【０００９】
水素ガスを主成分とし合わせて気体及びまたは液体の水分を含む流動性を有する物質を気液混相のまま、小口径の流路により搬送させることがでた。
【発明を実施するための最良の形態】
【００１０】
所要の特性を有する部材を積層して構成させることにより、耐候性、ガスバリア性、耐水性、簡易な施工性を有する、水素ガスを主成分とし合わせて気体及びまたは液体の水分を含む流動性を有する物質を気液混相のまま、小口径の流路により搬送させる流露が実現できた。
【実施例１】
【００１１】
図1において、外壁部1の材料として、ポリエチレン、ポリプロピレン、架橋ポリエチレン、ポリブテンなどが単独または複数合わせて用いることができる。また内壁部2の材料として当該外壁部1の材料を同様に用いることができる、またポリアミド系の親水性のある樹脂を用いてもよい。中間壁部3材料として、エチレン−ビニールアルコール共重合体などのガスバリア性を有する樹脂及びまたはアルミ、銅、及びそれらの中の一つまたは複数を含む合金、ステンレス、などの金属材料を用いることができる。
【００１２】
また流路内の液状の水分が流路断面を遮断することを防止するために当該水分を平坦化させる措置として、内壁部内側表面部4に流路方向に沿って複数の溝5を構成配置させることができる。
【実施例２】
【００１３】
図2の実施例は、当該措置として、内壁部内側表面部4に接触させて親水性の膜6または糸状物質7、ネット状のインナー8を同様に挿入配置したものである。
【産業上の利用可能性】
【００１４】
炭化水素の水蒸気改質により得られる水素ガスを主成分とする気体及びまたは液体の水分を含んだ気液混相の流体を当該流体を必要とする設備まで搬送する配管に本発明は有効であり、水素ガスの漏洩を抑制し搬送した水分を水原料として有効に再利用できかつ電気融着が可能なため施工が容易に出来る。
【図面の簡単な説明】
【００１５】
【図１】配管の部材構成と液状の水分を平坦化させるための流露方向うに沿って設けた溝5の構成は位置の説明図である。（実施例1）
【図２】液状の水分を平坦化させるための各種のインナーを配置した実施例の説明図である。（実施例2）
【符号の説明】
【００１６】
1  外壁部
2  内壁部
3  中間壁部
4  内壁部内側表面部
5  溝
6  親水性の膜
7  親水性の糸状物質
8  ネット状のインナー
【図１】
2005214387.tif 000003
【図２】
2005214387.tif 000004